(57)【要約】      （修正有）【課題】リモートコントローラを別途に配置する必要がなく、遠隔制御用のアプリケーションを開発する必要もなく、ユーザーの操作を容易にするだけでなく、製品コストを節約し、製品の市場競争力を向上させる遠隔制御機能付き電気治療器を提供する。【解決手段】上部カバーと、上部カバーに接続されるボトムケースと、上部カバーに設けられるボタンカバーと、上部カバー内に設けられるＰＣＢボード４と、を備える遠隔制御機能付き電気治療器であって、ＰＣＢボードに無線送信モジュール５と、制御ＩＣ６と、ＬＥＤ制御ＩＣ７と、送信アンテナ８と、が設けられている。【選択図】図２
0003223852.tif 000002
【実用新案登録請求の範囲】
【請求項１】
上部カバーと、上部カバーに接続されるボトムケースと、上部カバーに設けられるボタンカバーと、上部カバー内に設けられるＰＣＢボードと、を備える遠隔制御機能付き電気治療器であって、さらに、前記ＰＣＢボードに設けられる無線送信モジュールと、制御ＩＣと、ＬＥＤ制御ＩＣと、送信アンテナと、を有することを特徴とする遠隔制御機能付き電気治療器。
【請求項２】
前記ＰＣＢボードには、さらにＭｉｃｒｏ−ＵＳＢインタフェースが設けられ、ボトムケース内には、さらにＰＣＢボードに接続されるリチウム電池が設けられていることを特徴とする請求項１に記載の遠隔制御機能付き電気治療器。
【請求項３】
前記無線送信モジュールはブルートゥース（登録商標）モジュールであることを特徴とする請求項１に記載の遠隔制御機能付き電気治療器。
【請求項４】
前記ＰＣＢボードには、さらに、ボタンカバーの下に位置するボタン群と、ＬＥＤ制御ＩＣに電気的に接続されるＬＥＤインジケーターランプとが設けられていることを特徴とする請求項１に記載の遠隔制御機能付き電気治療器。
【請求項５】
前記ボタン群は、パワーオンボタンと、パワーオフボタンと、モード切り替えボタンと、を含むことを特徴とする請求項４に記載の遠隔制御機能付き電気治療器。
【考案の詳細な説明】
【技術分野】
【０００１】
本考案は、物理治療用のマッサージ器の分野に関し、具体的には他のマッサージ器を制御可能な遠隔制御機能付き電気治療器に関する。
【背景技術】
【０００２】
体の異なる部位を同時にマッサージするには、複数台の電気治療マッサージ器を同時に配置して電気治療マッサージ器のセットを構成する必要がある。マッサージ器のグループを制御するために、別のリモートコントローラを採用したり、製品内にブルートゥース（登録商標）モジュールを追加して、インテリジェント端末を介してプログラムをダウンロードして操作したりすることで、遠隔制御を実現しているのが現状である。このため、リモートコントローラ又はアプリケーションの開発により、製品コストが増加し、特に、アプリケーションの開発及びデバッグ時間が長いため、製品の開発期間が延長されてしまう。また、リモートコントローラを別途配置するには、追加の電池消費及び手動生産も必要であり、製品コストをさらに高めてしまう。
【考案の概要】
【０００３】
従来技術の欠陥を克服するために、本考案は、遠隔制御機能付きの、他の電気治療器を制御可能な電気治療器を提供することを目的とする。
【０００４】
上記した目的を実現するために、本考案が採用する技術方案は、上部カバーと、上部カバーに接続されるボトムケースと、上部カバーに設けられるボタンカバーと、上部カバー内に設けられるＰＣＢボードと、を備える遠隔制御機能付き電気治療器であって、さらに、前記ＰＣＢボードに設けられる無線送信モジュールと、制御ＩＣと、ＬＥＤ制御ＩＣと、送信アンテナと、を有する遠隔制御機能付き電気治療器である。ＰＣＢボードに無線送信モジュール及び送信アンテナが設けられることで、本考案にかかる電気治療器はリモートコントローラの機能を持つようになり、また、従来技術の電気治療器内には無線受信モジュールが設けられているので、当該電気治療器によって他の電気治療器を遠隔制御することが可能になり、即ち、遠隔制御機能を本考案にかかる電気治療器に集積することで、リモートコントローラを別途に配置する必要がなくなる。当該製品が遠隔制御モードで作動する際、制御ＩＣと無線送信モジュールが即時通信状態になり、当該製品の各動作命令が無線送信モジュール回路を介して同期的に送信され、遠隔制御される電気治療器の無線受信モジュール回路は、当該製品から発信された信号を受信すると、遠隔制御される電気治療器は当該製品の命令を実行する。
【０００５】
さらに、前記ＰＣＢボードには、さらに、Ｍｉｃｒｏ−ＵＳＢインタフェースが設けられ、ボトムケース内には、さらに、ＰＣＢボードに接続されるリチウム電池が設けられている。
【０００６】
好ましくは、前記無線送信モジュールはブルートゥース（登録商標）モジュールである。
【０００７】
前記ＰＣＢボードには、さらに、ボタンカバーの下に位置するボタン群と、ＬＥＤ制御ＩＣに電気的に接続されるＬＥＤインジケーターランプとが設けられている。
【０００８】
さらに、前記ボタン群は、パワーオンボタンと、パワーオフボタンと、モード切り替えボタンと、を含む。
【０００９】
有益な技術効果は次のとおりである。ＰＣＢボードに無線送信モジュール及び送信アンテナが設けられることで、電気治療器はリモートコントローラの機能を持つようになり、また、従来技術の電気治療器内には無線受信モジュールが設けられているので、当該電気治療器によって他の電気治療器を遠隔制御することが可能になり、即ち、遠隔制御機能を本考案にかかる電気治療器に集積することで、リモートコントローラを別途に配置する必要がなくなり、遠隔制御用のアプリケーションを開発する必要もなくなるため、製品の開発期間が短縮される。また、別体のリモートコントローラは不要となるので、ユーザーの操作を容易にするだけでなく、製品コストを節約し、製品の市場競争力をさらに向上させる。
【図面の簡単な説明】
【００１０】
【図１】は本考案の立体分解図である。
【図２】は本考案におけるＰＣＢボードの立体分解図である。
【図３】は本考案と併用される電気治療器の立体分解図である。
【図４】は図３に示す電気治療器が採用するＰＣＢボードの立体分解図である。
【考案を実施するための形態】
【００１１】
本分野の技術者が本考案をよりよく理解するために、以下では、図面及び実施形態を参照して本考案をさらに詳細に説明する。
【００１２】
図１〜２に示すように、遠隔制御機能付き電気治療器は、上部カバー１と、上部カバーに接続されるボトムケース２と、上部カバーに設けられるボタンカバー３と、上部カバー内に設けられるＰＣＢボード４と、を備え、さらに、前記ＰＣＢボード４に設けられる無線送信モジュール５と、制御ＩＣ６と、制御ＩＣ６に接続されるＬＥＤ制御ＩＣ７と、送信アンテナ８と、を有する。
【００１３】
ＰＣＢボード４に無線送信モジュール５及び送信アンテナ８が設けられ、無線送信モジュール５及び送信アンテナ８が従来の配線方式によって制御ＩＣ６に接続されることで、本考案にかかる電気治療器はリモートコントローラの機能を持つようになった。
【００１４】
前記ＰＣＢボード４には、さらに、Ｍｉｃｒｏ−ＵＳＢインタフェース９が設けられ、ボトムケース内には、さらに、ＰＣＢボードに接続されるリチウム電池１０が設けられている。Ｍｉｃｒｏ−ＵＳＢインタフェース９は、外部電源に接続してリチウム電池１０を充電するために用いられる。
本実施例において、前記無線送信モジュール５はブルートゥース（登録商標）モジュールであるが、もちろん、赤外線送信モジュールを採用することにより、同様に遠隔制御機能を実現することが可能である。
【００１５】
前記ＰＣＢボード４には、さらに、ボタンカバー３の下に位置するボタン群１１と、ＬＥＤ制御ＩＣに電気的に接続されるＬＥＤインジケーターランプ１２とが設けられている。ボタン群１１と制御ＩＣ６とは電気的に接続されている。ボタンカバーには、さらに、一つの透明カバー３３が設けられている。ＬＥＤ制御ＩＣは、制御ＩＣ６の制御に応じて点灯又は消灯するようにＬＥＤインジケーターランプ１２を制御するために用いられる。
【００１６】
前記ボタン群１１は、長押しでパワーオンおよび強度向上の機能を実現するパワーオンボタンと、長押しでパワーオフおよび強度低下の機能を実現するパワーオフボタンと、長押しで遠隔制御モードに変換可能なモード切り替えボタンと、を含む。
【００１７】
ボトムケース２の下面には、さらに、２本のバネ１３が設けられており、２本のバネの他端には、導電性パッチの取付部材１４が設けられており、導電性パッチの取付部材には、導電性パッチ１５と、バネ１３、導電性パッチの取付部材１４、及びボトムケースを接続するための２本の導電性ピン３２とが設けられている。
【００１８】
図３〜４に示すように、本考案にかかる電気治療器は、受信機能をもつ別の電気治療器と併用される。受信機能をもつ電気治療器は、副機と呼ばれ、副機上部カバー１６と、副機上部カバーに接続される副機ボトムケース１７と、副機上部カバーに設けられる副機ボタンカバー２８と、副機上部カバー内に設けられる副機ＰＣＢボード１８と、を備え、さらに、前記副機ＰＣＢボード１８に設けられる無線受信モジュール１９と、副機制御ＩＣ２０と、受信アンテナ２１と、を有する。
【００１９】
副機ＰＣＢボード１８に無線受信モジュール１９、及び受信アンテナ２１が設けられれば、副機は、本考案にかかる電気治療器と併用されることが可能になり、無線送信モジュール５からの命令を受信し、命令に応じて動作することが可能となる。
【００２０】
前記副機ＰＣＢボード１８には、さらに、副機Ｍｉｃｒｏ−ＵＳＢインタフェース２２が設けられ、ボトムケース内には、さらに、副機ＰＣＢボードに接続される副機リチウム電池２３が設けられている。副機Ｍｉｃｒｏ−ＵＳＢインタフェース２２は、外部電源に接続して副機リチウム電池２３を充電するために用いられる。
【００２１】
副機が採用する無線受信モジュール１９はブルートゥース（登録商標）モジュールであるが、当もちろん、赤外線受信モジュールを採用することにより、同様に遠隔制御機能を実現することが可能である。
【００２２】
前記副機ＰＣＢボード１８には、さらに、副機ボタンカバー２８の下に位置する副機スイッチボタン２４と、副機制御ＩＣに電気的に接続される副機ＬＥＤインジケーターランプ２５とが設けられている。副機スイッチボタン２４と副機制御ＩＣ２０とは電気的に接続されている。副機上部カバーには、さらに、一つの透明カバー２６が設けられている。
【００２３】
副機ボトムケース１７の下面には、さらに、２本の副機バネ２７が設けられており、２本の副機バネの他端には、副機導電性パッチの取付部材２９が設けられており、副機導電性パッチの取付部材には、副機導電性パッチ３０と、副機バネ２７、副機導電性パッチの取付部材２９及び副機ボトムケース１７を接続するための２本の副機導電性ピン３１とが設けられている。
【００２４】
以上をまとめると、ＰＣＢボード４に無線送信モジュール５及び送信アンテナ８が設けられることで、電気治療器はリモートコントローラの機能を持つようになり、また、従来技術の電気治療器、即ち、副機内には、無線受信モジュール１９及び受信アンテナ２１が設けられているので、当該電気治療器によって他の電気治療器、即ち副機を遠隔制御することが可能になり、即ち、遠隔制御機能を本考案にかかる電気治療器に集積することで、リモートコントローラを別途に配置する必要がなくなり、遠隔制御用のアプリケーションを開発する必要もなくなるため、製品の開発期間が短縮され、市場投入までの時間が短縮される。また、別体のリモートコントローラは不要となるので、ユーザーの操作を容易にするだけでなく、製品コストを節約し、製品の市場競争力をさらに向上させる。
実施例によって本考案を説明したが、本分野の技術者であれば、本考案には、本考案の精神から逸脱することなく、種々の変形及び変更が含まれることが分かる。添付された実用新案登録請求の範囲は、本考案の精神から逸脱することなく、そのような変形及び変更を含むことを意図する。
【図１】
0003223852.tif 000003
【図２】
0003223852.tif 000004
【図３】
0003223852.tif 000005
【図４】
0003223852.tif 000006